(57)【要約】      （修正有）【課題】水分含有量が多い肥料であってもスムーズに施肥することができ、さらに、同時に３本のラインに施肥することが可能な施肥装置を提供する。【解決手段】前壁下部に排出口を有するホッパ１において後方から該排出口に向けてホッパ内容物を搬送する底部コンベア３を収納部の底部に設け、該排出口から上方に向けて内容物を搬送する壁部コンベア２を収納部の前壁に設ける。さらに、該排出口の下方には外側に向けて排出口から排出された内容物を搬送する一対の下部コンベア５を排出口と並行するように間隔をおいて設け、該下部コンベアの両側下方には所定の角度で傾斜する受け板６ａ、６ｂを、さらに、一対の下部コンベアの間には逆Ｖ字に形成された受け板６ｃを設けた。【選択図】図１
0003182938.tif 000002
【実用新案登録請求の範囲】
【請求項１】
前壁下部に排出口を有するホッパにおいて後方から該排出口に向けてホッパ内容物を搬送する底部コンベアを収納部の底部に設け、該排出口から上方に向けて内容物を搬送する壁部コンベアを収納部の前壁に設け、該排出口の下方には外側に向けて排出口から排出された内容物を搬送する一対の下部コンベアを排出口と並行するように間隔をおいて設け、該下部コンベアの両側下方には所定の角度で傾斜する受け板を、さらに、一対の下部コンベアの間には逆Ｖ字に形成された受け板を設けた施肥装置。
【請求項２】
前記排出口の近傍に排出口と並行して攪拌手段が設けられていることを特徴とする請求項１に記載の施肥装置。  
【請求項３】
前記攪拌手段が、回転自在に設けられた軸部に羽根部を螺旋状に設けたことを特徴とする請求項１または請求項２のいずれかに記載の施肥装置。
【請求項４】
前記ホッパの収納部が、底部から後方にかけてせり上がるように傾斜する傾斜面が形成されており、該傾斜面から底部にかけて緩やかに湾曲するように形成されていることを特徴とする請求項１ないし３のいずれか１項に記載の施肥装置。
【考案の詳細な説明】
【技術分野】
【０００１】
本考案はトラクターなどの自走装置に搭載して、堆肥などの肥料を粉砕しながら施肥できる装置に関し、詳しくは、含有する水分量が高めの肥料の場合もコンベアの詰まりなどを生じることなく複数のラインに同時に施肥可能な施肥装置である。
【背景技術】
【０００２】
従来、サトウキビなどの畝間隔が大きい圃場において使用される施肥装置として、特許文献１のものが提案されている。このものは、攪拌槽内の肥料を螺旋状体によって左右の落下口に向けて肥料を送り出し、さらに、攪拌槽から落下した肥料をスクリュー手段により排出口まで送り出すというものである。
【０００３】
しかしながら、特許文献１に開示された施肥装置は、肥料に含有される水分量が４５％以上になると、攪拌槽内で攪拌された肥料が粘土状となって、スクリュー羽根による肥料の送出が困難となり、スムーズに施肥できないおそれがあった。また、このものは左右２本のラインに同時に施肥できるが、狭い耕作地などで効果的に施肥するためには、装置の幅を広げることなく施肥できるラインを増やすことが求められている。
【先行技術文献】
【特許文献】
【０００４】
【特許文献１】特開２００８−２２７３３
【考案の概要】
【考案が解決しようとする課題】
【０００５】
そこで本考案は、従来の施肥装置の有するかかる欠点を克服し、水分含有量が多い肥料であってもスムーズに施肥することができ、さらに、同時に３本のラインに施肥することが可能な施肥装置の提供をその課題とするものである。
【課題を解決するための手段】
【０００６】
本考案は、上記課題を解決するものであり、前壁下部に排出口を有するホッパにおいて後方から該排出口に向けてホッパ内容物を搬送する底部コンベアを収納部の底部に設け、該排出口から上方に向けて内容物を搬送する壁部コンベアを収納部の前壁に設け、該排出口の下方には外側に向けて排出口から排出された内容物を搬送する一対の下部コンベアを排出口と並行するように間隔をおいて設け、該下部コンベアの両側下方には所定の角度で傾斜する受け板を、さらに、一対の下部コンベアの間には逆Ｖ字に形成された受け板を設けた施肥装置である。
【０００７】
また本考案は、前記排出口の近傍に排出口と並行して攪拌手段が設けられていることを特徴とする施肥装置である。
【０００８】
さらに本考案は、前記ホッパの収納部が、底部から後方にかけてせり上がるように傾斜する傾斜面が形成されており、該傾斜面から底部にかけて緩やかに湾曲するように形成されていることを特徴とする施肥装置である。
【考案の効果】
【０００９】
本考案の施肥装置は、底部コンベアにより収納部内の下層にある肥料が排出口に向けて搬送され、壁部コンベアにより排出口付近に滞留しがちな肥料は常に上方へ搬送されるため、水分含有量が多い肥料の場合であっても排出口が詰まるおそれがなく、常に適度な量でスムーズに施肥することができる。
【００１０】
また、本考案の施肥装置は施肥装置自体の横幅を広げることなく、一対の下部コンベア上に落下して左右に搬送された肥料と、下部コンベアの間に落下した肥料により３本のラインに同時に施肥することができる。
【００１１】
また、本考案で排出口の近傍に排出口と並行して攪拌シャフトを設けたものは、底部コンベアで排出口に送出されてきた肥料を適度に攪拌、粉砕しつつ、外部へ排出することができる。
【００１２】
さらに、本考案でホッパの収納部に傾斜面を設け、傾斜面から底部にかけて緩やかに湾曲するように形成したものは、収納部の後方に残留する内容物をスムーズに底部コンベアまで移動できる。  
【図面の簡単な説明】
【００１３】
【図１】本考案に係る施肥装置の斜視図。
【図２】本考案に係る施肥装置を模式的に表した正面図。
【図３】本考案に係る施肥装置を模式的に表した側面図。
【考案を実施するための形態】
【００１４】
以下、本考案の施肥装置の実施態様を、図面に基づいて具体的に説明する。なお、本発明はこれら実施態様に何ら制約されるものではない。
【００１５】
図１は本考案に係る施肥装置の斜視図、図２は本考案に係る施肥装置を模式的に表した正面図、図３は本考案に係る施肥装置を模式的に表した側面図である。図中、１はホッパ、２は壁部コンベア、３は底部コンベア、４は攪拌シャフト、５は下部コンベア、６ａは受け板、６ｂは受け板、６ｃは受け板、１１は収納部、１２は底部、１３は傾斜面、１４は排出口、２１はコンベアバー、３１はコンベアバー、４１は軸部、４２は羽根部、５１はコンベアバー、１０１はジョイント、１０２は連動軸部、２０１はチェーン、２０２はチェーン、２０３はチェーン、２０４はチェーン、２０５はチェーン、２０６はチェーン、２０７はチェーン、３０１はフレームをそれぞれ示す。
【００１６】
本考案の施肥装置はトラクターなどの自走装置に搭載して使用されるものであり、ホッパ１と、ホッパ１の収納部１１内において内容物を搬送する壁部コンベア２および底部コンベア３と、ホッパ１の排出口１４の下方に設けられて排出された内容物を左右のラインに搬送する一対の下部コンベア５と、排出口１５に設けられた攪拌シャフト４、また、各コンベアおよび攪拌シャフト４に動力を伝えるための駆動手段を有する。以下、各部の詳細について説明する。
【００１７】
図２は本考案の施肥装置を正面から模式的に表したものであり、図３は側面から模式的に表したものである。なお、これらの図では、駆動手段や各部材を支持するフレームなどは図示しない。各図に示すように、ホッパ１は収納部１１内に肥料等の内容物を収納可能に形成された有底容器体であり、上部が開口するとともに前壁下部にはホッパ１とほぼ同じ幅に形成された排出口１４を有している。そして、ホッパ１の収納部１１の底部１２には底部コンベア３が設けられ、収納部１１の前壁には壁部コンベア２が設けられている。ホッパ１は、上部開口より内容物である肥料等を投入可能となっているが、トラクターなどの自走装置に搭載しやすいように、収納部１１の奥行きは短めに、かつホッパ１の容量を確保するために深めに形成している。
【００１８】
図３に示すように、ホッパ１の収納部１１は底部１２から後方にかけてせり上がるように傾斜する傾斜面１３が形成されており、かかる傾斜面１３から平坦な底部１２にかけて緩やかに湾曲するように形成されている。これにより、収納部１１の後方に残留する内容物が底部コンベア３方向に移動してスムーズな排出につながる。
【００１９】
底部コンベア３は、両端をチェーンに連接されたコンベアバー３１を移動させることにより内容物を搬送可能に設けられている。かかる底部コンベア３は、コンベアバー３１が収納部１１内において露出しており、収納部１１の後方から前方の排出口１４に向かって（矢印方向）内容物を搬送するように移動する。また、壁部コンベア２は、同じく両端をチェーンに連接されたコンベアバー３１を移動させることにより内容物を搬送可能に設けられている。かかる壁面コンベア２は、コンベアバー２１が収納部１１内において露出しており、排出口１４から収納部１１の前壁に沿って上方に向かって（矢印方向）内容物を搬送するように移動する。
【００２０】
また、排出口１４には攪拌手段である攪拌シャフト４が排出口１４と並行して設けられている。攪拌シャフト４は、排出口１４の外側近傍において回転自在に設けられている。かかる攪拌シャフト４は、軸部４１の周りに螺旋状に羽根部４２を有しており、図３の矢印方向に回転することにより底部コンベア３で排出口１４に送出されてきた肥料を適度に攪拌、粉砕しつつ、外部へ排出する。
【００２１】
底部コンベア３の前端の下方には、一対の下部コンベア５が排出口１４と並行方向に所定の間隔をおいて設けられている。かかる下部コンベア５は、両端をチェーンに連接されたコンベアバー５１を移動させることにより内容物を搬送可能に設けられ、左右いずれも外側に向けて（矢印方向）内容物を搬送するように移動する。そして、これら一対の下部コンベア５の左右両側の下方には、所定の角度で傾斜する一組の受け板６a、６ｂがそれぞれ設けられている。さらに、一対の下部コンベア５の間には、逆Ｖ字形状に形成された受け板６ｃが設けられている。
【００２２】
以上の各部材は、図１に示すように、フレーム３０１により支持されてトラクターなどの自走装置に一体に搭載可能になっている。そして、フレーム３０１には、トラクターなどから動力を伝達するための駆動手段が取り付けられている。以下では、本考案の施肥装置の駆動手段について説明する。
【００２３】
図１に示すように、フレーム３０１の正面中央には、トラクターのＰＴＯシャフトと連結可能に形成されたジョイント１０１が設けられている。そして、ジョイント１０１の左側には、連動軸部１０２が設けられている。トラクターからジョイント１０１に伝達された動力（回転力）は、チェーン２０１を介して連動軸部１０２に、チェーン２０２を介してギアボックス９に、さらに、チェーン２０３を介して減速機８に伝達される。そして、連動軸部１０２に伝達された動力は、次に、チェーン２０４を介して一方の下部コンベア５に伝達される。なお、一方の下部コンベア５に伝達された動力は、チェーン（図示せず）により他方の下部コンベア５にも伝達され、連動可能となっている。
【００２４】
そして、ギアボックス９に伝達された動力は、ギアボックス９により軸方向が９０度変換され、チェーン２０５により攪拌シャフト４へと伝達される。また、減速機８に伝達された動力は、減速機８により軸方向が９０度変換され、回転速度を落としてチェーン２０６により底部コンベア３へと伝達される。さらに、底部コンベア３の駆動部からは、チェーン（図示せず）を介してチェーン２０７の下部の歯車に動力が伝達され、チェーン２０７により壁面コンベア２に動力が伝達される。以上の構成により、トラクター等からの動力が駆動手段に伝達され、各コンベア等を連動させている。
【００２５】
次に、本考案の施肥装置の使用方法について説明する。まず、本考案の施肥装置をトラクターなどの自走装置に搭載し、トラクターのＰＴＯシャフトにジョイント１０１を連結する。ホッパ１の収納部１１内には散布材料である肥料等が収納され、トラクターを走行させるとジョイント１０１に動力が伝達され、ジョイント１０１から各駆動手段により伝達された動力により、各コンベア等が稼働する。
【００２６】
ホッパ１の収納部１１内では、底部コンベア３により収納部１１内の下層にある肥料が排出口１５に向けて搬送される。一方、壁部コンベア２により収納部１１の前壁付近の肥料は常に上方へ搬送されるため、排出口１４付近に肥料が滞留するなどして排出口１４が詰まるおそれがなく、常に適度な量で排出口１４から排出される。
【００２７】
排出口１４から排出された肥料は、底部コンベア３により搬送されて底部コンベア３の前端より下方へ落下する。このとき、固まり状の肥料は攪拌シャフト４により適度に粉砕されつつ排出される。そして、排出口１４の左右両側付近から排出された肥料は下方に設置された一対の下部コンベア５の上に落下する。下部コンベア５の上に落下した肥料は、コンベアバー５１により外側へ運ばれ、下部コンベア５の端部から落下する。下部コンベア５から落下した肥料は、下部コンベア５の下部に所定の角度で設けられた受け板６ａの傾斜面を滑落して土壌に散布される。
【００２８】
また、排出口１４の中央付近から排出された肥料は一対の下部コンベア５の間に落下する。そして、下部コンベア５の下部に所定の角度で設けられた受け板６ｂと、逆Ｖ字形状に形成された受け板６ｃに間に落下し、それらの傾斜面を滑落し、あるいは直接受け板６ｂと受け板６ｃの間から、その下の土壌に散布される。
【００２９】
このように、排出口１４のから排出された肥料を一対の下部コンベア５により左右に振り分けて下部コンベア５の外側に散布するとともに、一対の下部コンベア５の間からも落下して散布可能とすることにより、少なくとも３本のラインを同時に施肥することが可能となる。なお、中央のラインのきび苗の真上に逆Ｖ字形状に形成された受け板６ｃが位置するため、きび苗等の作物に直接肥料がかかることなく好ましい。
【符号の説明】
【００３０】
１  …  …  ホッパ
２  …  …  壁部コンベア
３  …  …  底部コンベア
４  …  …  攪拌シャフト
５  …  …  下部コンベア
６ａ  …  …  受け板
６ｂ  …  …  受け板
６ｃ  …  …  受け板
１１  …  …  収納部
１２  …  …  底部
１３  …  …  傾斜面
１４  …  …  排出口
２１  …  …  コンベアバー
３１  …  …  コンベアバー
４１  …  …  軸部
４２  …  …  羽根部
５１  …  …  コンベアバー
１０１  …  …  ジョイント
１０２  …  …  連動軸部
２０１  …  …  チェーン
２０２  …  …  チェーン
２０３  …  …  チェーン
２０４  …  …  チェーン
２０５  …  …  チェーン
２０６  …  …  チェーン
２０７  …  …  チェーン
３０１  …  …  フレーム
【図１】
0003182938.tif 000003
【図２】
0003182938.tif 000004
【図３】
0003182938.tif 000005